(57)【要約】【課題】あらゆる利用者に対してサービス性を向上することが可能であるとともに、さらなる省力化が可能な改札機及び改札方法を提供することを目的とする。【解決手段】  特殊な改札動作を必要とする特殊利用者が所持する所持品の識別タグを検知する無線通信装置１００を備え、券媒体が有する改札処理に必要な改札情報に基づき改札機を構成する各機構を第１モードで駆動して改札処理を行うとともに無線通信装置１００により識別タグを検知したのに基づき改札機を構成する各機構を特殊な改札動作に対応した第２モードで駆動して改札処理を行うことを特徴とする。【選択図】      図１
2006107365.tif 000002
【特許請求の範囲】
【請求項１】
特殊な改札動作を必要とする特殊利用者が所持する所持品の識別タグを検知する検知手段と、
券媒体が有する改札処理に必要な改札情報に基づき、改札機を構成する各機構を第１モードで駆動して改札処理を行うとともに、前記検知手段により前記識別タグを検知したのに基づき、改札機を構成する各機構を特殊な改札動作に対応した第２モードで駆動して改札処理を行う改札手段と、
を備えたことを特徴とする改札機。
【請求項２】
券媒体が有する改札処理に必要な改札情報に基づいて改札処理を行う改札手段と、
前記改札手段により行われた改札処理の結果に基づいて、改札通路を開放または閉鎖するドア機構と、
特殊な改札動作を必要とする特殊利用者が所持する所持品の識別タグを検知する検知手段と、
前記検知手段により前記識別タグを検知したのに基づいて、前記ドア機構を制御して、改札処理の結果にかかわらず改札通路を開放させる制御手段と、
を備えたことを特徴とする改札機。
【請求項３】
投入口から投入された券媒体から改札処理に必要な改札情報を読み取る読取手段と、
無線通信を行うためのアンテナ部を介して無線通信可能な券媒体との間で無線通信を行い、この無線通信において券媒体から改札情報を読み取る通信手段と、
前記読取手段または前記通信手段により読み取られた改札情報に基づいて改札処理を行う改札手段と、
前記読取手段及び前記通信手段より改札通路の手前において、特殊な改札動作を必要とする特殊利用者が所持する所持品の識別タグを検知する検知手段と、
前記検知手段により前記識別タグを検知したのに基づいて、前記投入口及び前記アンテナ部の位置を特殊利用者に対して案内する音声を出力する音声出力手段と、
を備えたことを特徴とする改札機。
【請求項４】
改札通路を規定する２台の筐体を備えた改札機であって、
改札通路の両端に設けられ、それぞれ投入口から投入された券媒体から改札処理に必要な改札情報を読み取る読取手段と、
改札通路の両端に設けられ、それぞれ無線通信を行うためのアンテナ部を介して無線通信可能な券媒体との間で無線通信を行い、この無線通信において券媒体から改札情報を読み取る通信手段と、
前記読取手段または前記通信手段により読み取られた改札情報に基づいて改札処理を行う改札手段と、
前記読取手段及び前記通信手段より改札通路の手前において、特殊な改札動作を必要とする特殊利用者が所持する所持品の識別タグを検知する検知手段と、
改札通路の一端側で前記検知手段により前記識別タグを検知したのに基づいて、改札通路の他端に設けられた前記読取手段及び前記通信手段の利用を禁止するよう制御する制御手段と、
を備えたことを特徴とする改札機。
【請求項５】
投入口から投入された券媒体から改札処理に必要な改札情報を読み取る読取手段と、
無線通信を行うためのアンテナ部を介して無線通信可能な券媒体との間で無線通信を行い、この無線通信において券媒体から改札情報を読み取る通信手段と、
前記読取手段または前記通信手段により読み取られた改札情報に基づいて改札処理を行う改札手段と、
前記読取手段及び前記通信手段より改札通路の手前において、特殊な改札動作を必要とする特殊利用者が所持する所持品の識別タグを検知する検知手段と、
改札通路内の利用者を検知する人間検知手段と、
前記人間検知手段による検知結果により改札通路内の利用者を検知し、前記検知手段により前記識別タグを検知したのに基づいて、特殊利用者に対して改札機が先行する利用者によって利用中である旨を案内する音声を出力する音声出力手段と、
を備えたことを特徴とする改札機。
【請求項６】
投入口から投入された券媒体から改札処理に必要な改札情報を読み取る読取手段と、
無線通信を行うためのアンテナ部を介して無線通信可能な券媒体との間で無線通信を行い、この無線通信において券媒体から改札情報を読み取る通信手段と、
前記読取手段または前記通信手段により読み取られた改札情報に基づいて改札処理を行う改札手段と、
前記読取手段及び前記通信手段より改札通路の手前において、特殊な改札動作を必要とする特殊利用者が所持する所持品の識別タグを検知する検知手段と、
前記検知手段により前記識別タグを検知したのに基づいて、係員用の監視盤に対して特殊利用者が利用する旨の制御信号を出力する信号出力手段と、
を備えたことを特徴とする改札機。
【請求項７】
改札通路の手前の位置において、特殊な改札動作を必要とする特殊利用者が所持する所持品の識別タグを検知する第１検知手段と、
改札通路を通過した位置において、前記識別タグを検知する第２検知手段と、
券媒体が有する改札処理に必要な改札情報に基づき、改札機を構成する各機構を第１モードで駆動して改札処理を行うとともに、前記第１検知手段により前記識別タグを検知したのに基づいて改札機を構成する各機構を特殊な改札動作に対応した第２モードで駆動して改札処理を行い、前記第２検知手段により前記識別タグを検知したのに基づいて第２モードを解除する改札手段と、
を備えたことを特徴とする改札機。
【請求項８】
券媒体が有する改札処理に必要な改札情報に基づいて改札処理を行い、
この改札処理の結果に基づいて、改札機を構成する各機構を第１モードで駆動し、
第１モードとは異なる特殊な第２モードでの改札動作を必要とする特殊利用者が所持する所持品の識別タグを検知したのに基づいて、改札機を構成する各機構を第２モードで駆動する、
ことを特徴とする改札方法。
【発明の詳細な説明】
【技術分野】
【０００１】
この発明は、改札機及び改札方法に係り、特に、身体障害者や幼児など特殊な処理を必要とする利用者への対応が可能な改札機及び改札方法に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券、プリペイドカード、定期券、乗車券などの磁気式の券媒体を取り込み、券媒体に磁気記録された改札情報に基づいて利用者の通行を許可するか否かの改札処理を行う。取り込んだ券媒体は、必要に応じて返却または回収される。
【０００３】
また、近年では、磁気式の券媒体のほかに無線式の券媒体を取り扱う改札機が導入されている。このような無線式対応の改札機は、券媒体との間で無線通信を行い、券媒体から読み取った改札情報に基づいて利用者の通行を許可するか否かの改札処理を行う。
【０００４】
このような改札機を利用する利用者としては、健常者の他に、幼児や身体障害者などの特殊利用者などが含まれる。改札機は、省力化を目的として導入されたにもかかわらず、特殊利用者については何らかの人的な手助けが必要である場合が多い。このような特殊利用者に対して目的の場所への誘導や目的の実現のための行動を案内する案内装置が提案されている（例えば、特許文献１参照。）。
【特許文献１】特開２００１−０９１２９３号公報
【発明の開示】
【発明が解決しようとする課題】
【０００５】
従来の改札機においては、特殊利用者に対する対応が十分であるとは言い難く、サービス性が損なわれるおそれがある。
【０００６】
この発明は、上述した問題点に鑑みなされたものであって、その目的は、あらゆる利用者に対してサービス性を向上することが可能であるとともに、さらなる省力化が可能な改札機及び改札方法を提供することにある。
【課題を解決するための手段】
【０００７】
この発明の第１の様態による改札機は、
特殊な改札動作を必要とする特殊利用者が所持する所持品の識別タグを検知する検知手段と、
券媒体が有する改札処理に必要な改札情報に基づき、改札機を構成する各機構を第１モードで駆動して改札処理を行うとともに、前記検知手段により前記識別タグを検知したのに基づき、改札機を構成する各機構を特殊な改札動作に対応した第２モードで駆動して改札処理を行う改札手段と、
を備えたことを特徴とする。
【０００８】
この発明の第２の様態による改札方法は、
券媒体が有する改札処理に必要な改札情報に基づいて改札処理を行い、
この改札処理の結果に基づいて、改札機を構成する各機構を第１モードで駆動し、
第１モードとは異なる特殊な第２モードでの改札動作を必要とする特殊利用者が所持する所持品の識別タグを検知したのに基づいて、改札機を構成する各機構を第２モードで駆動する、
ことを特徴とする。
【発明の効果】
【０００９】
この発明によれば、あらゆる利用者に対してサービス性を向上することが可能であるとともに、さらなる省力化が可能な改札機及び改札方法を提供することができる。
【発明を実施するための最良の形態】
【００１０】
以下、この発明の一実施の形態に係る改札機について図面を参照して説明する。  
図１に示すような改札機は、通常、２台１組として設置され、両者の間に利用者が通行可能な改札通路Ｒが形成される。入場処理や出場処理どの改札処理を行う改札機で利用可能な券媒体としては、普通乗車券、定期券、特急券、回数券、入場券、プリペイドカードなどの磁気式券媒体及び無線式券媒体を対象としている。
【００１１】
これら券媒体は、改札処理に必要な改札情報、例えば、利用可能な区間情報、有効期限情報、入場記録情報、出場記録情報、利用者情報などを有している。このような改札情報は、磁気式券媒体では、その券面の磁気記録層に所定形式で磁気記録されており、また、無線式券媒体では、そのメモリ部に所定形式で記憶されている。
【００１２】
改札機の筐体１には、施設内への入場時あるいは施設内からの出場時に、磁気式の券媒体（施設内への入場券、乗車券、定期券、回数券、プリペイドカードなど）が投入される投入口２、この投入口２で受け取った券媒体を必要に応じて排出する排出口３がそれぞれ設けられている。投入口２の近傍には、必要に応じて券媒体の投入を阻止するためのシャッタ（図示しない）が設けられている。
【００１３】
筐体１における排出口３の前方には、利用者や係員などに対して案内などの各種情報を表示する案内表示部４が設けられている。筐体１の改札通路Ｒ側に面した側面の両端部には、それぞれ利用者の通行を制御する（通行阻止するまたは通行許可する）開閉動作可能なドア機構５が設けられている。このドア機構５は、通行可否の判定結果に基づいて開閉制御される。
【００１４】
筐体１の上部には、利用者の改札通路を規定するための枠体６が立設されている。枠体６及び筐体１の各改札通路Ｒ側の側面には、利用者の通過を検知する複数の人間検知器７がそれぞれ設けられている。また、枠体６上には、小児券の投入、無効券の投入や機器の異常など装置の動作状態を表示する表示灯８が設けられている。
【００１５】
筐体１における一端側上面部には、無線式券媒体との間で無線通信を行うための動作磁界を発生するアンテナ部１１１を備えた無線通信装置１１２が設けられている。アンテナ部１１１は、例えば、ループ状アンテナなどで構成されている。無線通信装置１１２は、アンテナ部１１１を介して利用者によりかざされた無線式券媒体との間で無線通信を行う通信手段として機能する。つまり、無線通信装置１１２は、アンテナ部１１１を介して無線式券媒体から送信されたデータを受信したり、無線式券媒体に対してデータを送信したりする。
【００１６】
無線通信装置（特殊利用者対応）１００は、特殊な改札動作を必要とする特殊利用者が所持する所持品（例えば、杖、車椅子、靴など）の識別タグを検知する検知手段として機能する。すなわち、この無線通信装置１００は、識別タグとの間で無線通信を行う無線通信手段として機能し、特殊利用者の改札通路Ｒへの接近を検知する。この無線通信装置１００は、改札通路Ｒより手前で識別タグを検知できるように構成することが望ましいが、特に配置位置については限定されない。図１に示した例では、無線通信装置１００は、改札通路Ｒの通行方向（図中の矢印Ａの方向）の上流側に配置されているが、筐体１の改札通路上流側に配置されても良い。
【００１７】
図２に示すように、改札機は、装置全体の制御を司るＣＰＵ６０を備えている。このＣＰＵ６０は、券媒体が有する改札情報に基づいて改札処理を行う改札手段及び改札機を構成する各機構の駆動を制御する制御手段として機能する。
【００１８】
このＣＰＵ６０には、ＲＯＭ６１、ＲＡＭ６２、運賃メモリ６３、検知回路６４、搬送駆動回路６５、読取回路６６、書込回路６７、印刷駆動回路６８、入鋏制御回路６９などが接続されている。
【００１９】
ＲＯＭ６１は、ＣＰＵ６０の制御プログラムなどを記憶している。ＲＡＭ６２は、制御プログラムのバッファとして情報を記憶するとともに、券媒体から読み取った情報などの各種エラー情報などを記憶する。運賃メモリ６３は、入場駅（から設置駅まで）に対応した運賃情報を記憶している。
【００２０】
検知回路６４は、投入口２から排出口３までの間に規定される搬送経路上に設けられた検知器１１からの出力信号に基づいて、投入口２での磁気式券媒体の投入状態や、排出口３での磁気式券媒体の抜き取り、搬送経路上での磁気式券媒体の搬送状態などを検知する。検知器１１は、例えば光学センサによって構成され、例えば搬送路を介して互いに対向配置された一対の発光素子及び受光素子などによって構成されている。
【００２１】
搬送駆動回路６５は、磁気式券媒体を搬送経路に沿って搬送するための搬送ローラや搬送ベルトを駆動する搬送用モータなど各種搬送機構１２を駆動する。読取回路６６は、磁気式券媒体の裏面の磁気記録層に記録されているエンコード磁気情報を読み取る読取手段として機能する読取ヘッド１４を駆動する。書込回路６７は、券媒体の磁気記録層に対してエンコード磁気情報を記録する書込ヘッド１５を駆動する。
【００２２】
印刷駆動回路６８は、磁気式券媒体に対して必要に応じて日付や改札場所名等の所定の情報を印刷する印刷部１６の駆動を制御する。印刷部１６は、例えばサーマルヘッド及びインクリボンを用いた熱転写方式のプリンタにより構成されている。入鋏制御回路６９は、磁気式券媒体に対して必要に応じて穿孔を形成する入鋏部１７の駆動を制御する。
【００２３】
また、ＣＰＵ６０には、通過検知回路７０、ドア制御回路７１、表示制御回路７２、音声出力制御回路７３、無線通信制御回路７４、シャッタ制御回路７６、通信制御部（信号出力手段）７７、無線通信制御回路７８などが接続されている。
【００２４】
通過検知回路７０は、人間検知手段として機能する人間検知器７からの出力信号に基づいて利用者の通過（移動位置）を検知する。ドア制御回路７１は、ドア機構５を駆動するドア開閉機構７９を制御する。表示制御回路７２は、案内表示部４や表示灯８などの各種表示部の駆動を制御する。音声出力制御回路７３は、音声にて操作案内を行う音声出力手段として機能するスピーカ８０を駆動する。
【００２５】
無線通信制御回路７４は、通信手段として機能する無線通信装置１１２を制御して、アンテナ部１１１を介して無線式券媒体と交信し、無線式券媒体に記憶された改札情報に対応したデータを読み取ったり（無線式券媒体から送信されたデータを受信したり）、無線式券媒体に対して所定情報に対応したデータを書き込んだり（無線式券媒体に対してデータを送信したり）する。
【００２６】
シャッタ制御回路７６は、投入口２に設けられたシャッタを駆動するシャッタ開閉機構７５を制御する。通信制御部７７は、遠隔操作部９０との間で情報通信を行う。この遠隔操作部９０は、改札機を監視する監視装置あるいは改札機を制御するホストコンピュータなどであり、改札機における各種設定を受け付ける入力部、入力された情報や改札機本体の動作状態などを表示する表示部などで構成されている。また、通信制御部７７は、遠隔操作部９０に対して制御信号を出力する信号出力手段として機能する。
【００２７】
無線通信制御回路７８は、無線通信手段として機能する無線通信装置１００を制御して、幼児や身体障害者などの特殊な改札動作を必要とする特殊利用者が所持する所持品の識別タグと交信し、識別タグに記憶された識別情報に対応したデータを読み取ったり（識別タグから送信されたデータを受信したり）、識別タグに対して所定情報に対応したデータを書き込んだり（識別タグに対してデータを送信したり）する。
【００２８】
この識別タグは、無線通信可能なＩＣタグによって構成され、所持品に貼付されても良いし、所持品に内蔵されていても良い。
【００２９】
図３に示すように、無線式券媒体Ｃは、無線通信装置１１２との間での無線通信を制御するＣＰＵ２０１、ＣＰＵ２０１に対して駆動電源を供給する電源２０２などを備えている。このＣＰＵ２０１には、ＲＯＭやＲＡＭなどで構成されたメモリ部２０３、アンテナ２０４を介して無線通信装置１１２から送信されたデータを受信したり、無線通信装置１１２に対してデータを送信したりする通信制御部２０５などが接続されている。
【００３０】
また、上述した識別タグも、この無線式券媒体Ｃと同様に構成されており、内蔵したメモリ部に利用者が特殊利用者である旨の識別情報を記憶している。
【００３１】
図４に示すように、無線通信装置１１２は、アンテナ部１１１を介して、無線式券媒体Ｃに対して一定時間の間隔でポーリングコマンド信号を発信している。利用者が無線式券媒体Ｃをアンテナ部１１１にかざすと、無線通信によるデータのやり取りが開始される。つまり、このポーリングコマンド信号に対して、無線式券媒体Ｃから返信信号が無線通信装置１１２に向けて送信される（ポーリングレスポンス）。
【００３２】
そして、無線通信装置１１２からアンテナ部１１１を介して無線式券媒体Ｃに対して改札情報を含むデータの送信を要求する（リードコマンド）。無線式券媒体Ｃの通信制御部２０５は、アンテナ２０４を介して無線通信装置１１２からのデータ送信要求を受信したのに基づいて、ＣＰＵ２０１の制御に基づきメモリ部２０３に記憶していた改札情報を含むデータをアンテナ２０４を介して無線通信装置１１２に向けて送信する（リードレスポンス）。
【００３３】
無線通信装置１１２がアンテナ部１１１を介して無線式券媒体Ｃからデータを受信したのに基づき、改札機におけるＣＰＵ６０は、受信したデータ（無線通信装置による通信結果）に基づいて改札処理を行う（判定）。そして、無線通信装置１１２は、アンテナ部１１１を介してＣＰＵ６０における改札処理の結果に相当する判定結果情報を含むデータを無線式券媒体Ｃに送信する（判定結果送信、ライトコマンド）。
【００３４】
その後、無線式券媒体Ｃの通信制御部２０５は、アンテナ２０４を介して無線通信装置１１２から送信されたライトコマンドを受信したのに基づいて、ＣＰＵ２０１の制御に基づきメモリ部２０３に受信したデータを記憶する。そして、通信制御部２０５は、アンテナ２０４を介して無線通信装置１１２に向けてデータが正常に書き込まれ一連の改札処理が完了したことを通知する（ライトレスポンス）。
【００３５】
その後、無線通信装置１１２は、無線式券媒体Ｃからライトレスポンスを受信したのに基づいて、無線式券媒体Ｃに対して処理を終了するためのクローズコマンドを送信する。無線式券媒体Ｃは、無線通信装置１１２からのクローズコマンドを受信したのに基づいて、無線通信装置１１２に対してクローズレスポンスを送信する。無線通信装置１１２は、無線式券媒体Ｃからクローズレスポンスを受信したのに基づいて、改札機におけるＣＰＵ６０に対して一連の処理が正常に終了した旨を通知する。  
このようなデータのやり取りにより、無線式券媒体Ｃと改札機における無線通信装置１１２との間で改札処理に必要な改札情報の無線通信が行われる。
【００３６】
（第１実施形態）  
図５に示すように、ＣＰＵ６０は、無線通信制御回路７８を制御して無線通信装置１００による無線通信結果に基づき、識別タグを検知したか否かを判断する（ＳＴ１１）。そして、ＣＰＵ６０は、識別タグを検知しなかったと判断したのに基づいて（ＳＴ１１、Ｎ）、改札機を構成する各機構の動作モードを第１モードに設定する（ＳＴ１２）。
【００３７】
すなわち、特殊利用者以外の利用者、つまり健常者が改札機を利用する場合には、ＣＰＵ６０は、各機構を通常の動作モードで駆動し、改札処理を行う。ここで言う通常の動作モードとは、利用者が投入口２から投入した磁気式の券媒体あるいは利用者がアンテナ部１１１にかざした無線式の券媒体から改札情報を読み取り、読み取った改札情報に基づいて改札処理を行い、改札処理の結果、利用者の改札通路の通行を許可する（判定ＯＫ）場合にドア機構により改札通路を開放するとともに利用者の改札通路の通行を阻止する（判定ＮＧ）場合にドア機構により改札通路を閉鎖する。
【００３８】
これに対して、ＣＰＵ６０は、識別タグを検知したと判断したのに基づいて（ＳＴ１１、Ｙ）、改札機を構成する各機構の動作モードを第２モードに設定する（ＳＴ１３）。すなわち、特殊利用者が改札機を利用する場合には、ＣＰＵ６０は、各機構を通常の動作モードとは異なる特殊な改札動作を行うように制御し、改札処理を行う。
【００３９】
このように、利用者の所持品に含まれる識別タグを検知することで特殊利用者を識別することができる。つまり、改札機は、特殊利用者が識別タグを有した所持品を所持して改札機に接近するのみで、特殊利用者による改札機の利用要求を検知することができる。例えば、券媒体に特殊利用者である旨の情報が記憶された場合、改札機に対して特殊利用者の利用要求を検知させるためには、券媒体を改札機の投入口から投入したりアンテナ部にかざしたりする動作が必要となる。すなわち、改札機に対して特殊利用者に対応した改札動作を行わせるためには、特殊利用者による何らかの動作が必要となる。これに対して、この第１実施形態に係る改札機によれば、特殊利用者が何らかのきっかけとなるような動作を必要とせず、単に改札機に接近するのみで特殊利用者に対応した改札動作を行わせることができ、健常者のみならず特殊利用者も含めたあらゆる利用者に対してサービス性を向上することが可能であるとともに、改札処理を行う特殊利用者に対する係員などによる人的な手助けの必要性を大幅に削減することができ、さらなる省力化が可能となる。
【００４０】
また、改札処理を行うのに必要な改札情報を識別タグに記憶させ、無線通信装置１００との無線通信により、改札処理を行っても良い。この場合、特殊利用者は何ら特別な動作を行うことなく改札通路を通過するのみで改札処理を行うことが可能となり、さらなるサービス性の向上を図ることが可能となる。
【００４１】
（第２実施形態）  
図６に示すように、ＣＰＵ６０は、無線通信制御回路７８を制御して無線通信装置１００による無線通信結果に基づき、識別タグを検知したか否かを判断する（ＳＴ２１）。そして、ＣＰＵ６０は、識別タグを検知しなかったと判断したのに基づいて（ＳＴ２１、Ｎ）、図５に示したように、改札機を構成する各機構の動作モードを第１モードに設定する（ＳＴ１２）。
【００４２】
一方、ＣＰＵ６０は、識別タグを検知したと判断したのに基づいて（ＳＴ２１、Ｙ）、改札機を構成する各機構の動作モードを第２モードに設定する。すなわち、ＣＰＵ６０は、読取回路６６を制御して読取ヘッド１４を駆動し、特殊利用者によって投入口２から投入された券媒体から改札情報を読み取る（ＳＴ２２）。あるいは、ＣＰＵ６０は、無線通信制御回路７４を制御して無線通信装置１１２を駆動し、特殊利用者によってアンテナ部１１１にかざされた券媒体から改札情報を読み取る（ＳＴ２２）。
【００４３】
そして、ＣＰＵ６０は、券媒体から読み取った改札情報に基づいて改札処理を行う（ＳＴ２３）。そして、ＣＰＵ６０は、改札処理の結果、特殊利用者の改札通路の通行を許可すると判断した場合であっても特殊利用者の改札通路の通行を阻止すると判断した場合であっても、ドア制御回路７１を制御してドア開閉機構７９を駆動し、ドア機構５により改札通路を開放する（ＳＴ２４）。
【００４４】
そして、ＣＰＵ６０は、改札処理の結果を利用者に報知する（ＳＴ２５）。すなわち、ＣＰＵ６０は、音声出力制御回路７３を制御してスピーカ８０を駆動し、改札処理の結果に対応した音声、例えば「どうぞお通りください、ありがとうございました。」などの判定ＯＫである旨の音声や、「有効期限切れです。」、「有効区間外です、精算してください。」、「この券媒体は無効です」などの判定ＮＧである旨の音声などを出力する。また、ＣＰＵ６０は、表示制御回路７２を制御して表示部４及び表示灯８を駆動し、表示部４に判定ＯＫである旨のメッセージや判定ＮＧである旨のメッセージなどを表示するとともに、判定ＮＧの場合に表示灯８を点灯する。
【００４５】
そして、ＣＰＵ６０は、通過検知回路７０を制御して人間検知器７からの出力信号に基づき、特殊利用者が改札通路を通過したか否かを判断する（ＳＴ２６）。ＣＰＵ６０は、特殊利用者が改札通路を通過するまでの間（ＳＴ２６、Ｎ）、ステップＳＴ２４及びＳＴ２５によるドア開放動作及び改札処理結果報知動作を継続する。また、ＣＰＵ６０は、特殊利用者が改札通路を通過したと判断したのに基づいて（ＳＴ２６、Ｙ）、第２モードの設定を解除し、ステップＳＴ２１に復帰する。
【００４６】
このような第２実施形態に係る改札機によれば、特殊利用者による改札機の利用に際して、改札処理の結果にかかわらず、ドア機構により改札通路を開放するように構成している。これにより、特殊利用者による改札通路の安全な通行を可能としている。したがって、特殊利用者に対する対応を改善することができ、サービス性の向上を図ることが可能となる。
【００４７】
（第３実施形態）  
図７に示すように、ＣＰＵ６０は、無線通信制御回路７８を制御して無線通信装置１００による無線通信結果に基づき、識別タグを検知したか否かを判断する（ＳＴ３１）。そして、ＣＰＵ６０は、識別タグを検知しなかったと判断したのに基づいて（ＳＴ３１、Ｎ）、図５に示したように、改札機を構成する各機構の動作モードを第１モードに設定する（ＳＴ１２）。
【００４８】
一方、ＣＰＵ６０は、識別タグを検知したと判断したのに基づいて（ＳＴ３１、Ｙ）、改札機を構成する各機構の動作モードを第２モードに設定する。すなわち、ＣＰＵ６０は、音声出力制御回路７３を制御してスピーカ８０を駆動し、投入口２の位置及びアンテナ部１１１の位置を特殊利用者に対して案内する旨の音声を出力する（ＳＴ３２）。例えば、ＣＰＵ６０は、無線通信装置１００による識別タグの検知位置（特殊利用者の位置）に基づき、「もう少し前方にお進み下さい。」、「右前方に投入口及びアンテナ部があります。」など特殊利用者を案内する旨の音声などを出力する。
【００４９】
そして、ＣＰＵ６０は、読取ヘッド１４あるいは無線通信装置１１２による改札情報の読み取りが完了したか否かを判断する（ＳＴ３３）。すなわち、ＣＰＵ６０は、読取回路６６を制御して読取ヘッド１４を駆動し、特殊利用者によって券媒体が投入口２から投入されたのに基づいて券媒体から改札情報を読み取る。あるいは、ＣＰＵ６０は、無線通信制御回路７４を制御して無線通信装置１１２を駆動し、特殊利用者によってアンテナ部１１１に券媒体がかざされたのに基づいて券媒体から改札情報を読み取る。
【００５０】
そして、ＣＰＵ６０は、改札情報の読み取りが完了するまでの間（ＳＴ３３、Ｎ）、ステップＳＴ３２による音声案内動作を継続する。また、ＣＰＵ６０は、改札情報の読み取りが完了したと判断したのに基づいて（ＳＴ３３、Ｙ）、券媒体から読み取った改札情報に基づいて改札処理を行う（ＳＴ３４）。
【００５１】
そして、ＣＰＵ６０は、改札処理の結果を利用者に報知する（ＳＴ３５）。すなわち、ＣＰＵ６０は、音声出力制御回路７３を制御してスピーカ８０を駆動し、改札処理の結果に対応した音声、例えば判定ＯＫである旨の音声や、判定ＮＧである旨の音声などを出力する。また、ＣＰＵ６０は、表示制御回路７２を制御して表示部４及び表示灯８を駆動し、表示部４に判定ＯＫである旨のメッセージや判定ＮＧである旨のメッセージなどを表示するとともに、判定ＮＧの場合に表示灯８を点灯する。
【００５２】
そして、ＣＰＵ６０は、通過検知回路７０を制御して人間検知器７からの出力信号に基づき、特殊利用者が改札通路を通過したか否かを判断する（ＳＴ３６）。ＣＰＵ６０は、特殊利用者が改札通路を通過するまでの間（ＳＴ３６、Ｎ）、ステップＳＴ３５による改札処理結果報知動作を継続する。また、ＣＰＵ６０は、特殊利用者が改札通路を通過したと判断したのに基づいて（ＳＴ３６、Ｙ）、第２モードの設定を解除し、ステップＳＴ３１に復帰する。
【００５３】
このような第３実施形態に係る改札機によれば、投入口やアンテナ部よりも改札通路の手前の位置において識別タグを検知可能に構成し、しかも、識別タグの検知に基づく視覚障害を有する特殊利用者による改札機の利用に際して、投入口の位置やアンテナ部の位置を案内するように構成している。これにより、特殊利用者を投入口及びアンテナ部まで誘導することを可能としている。したがって、特殊利用者に対する対応を改善することができ、サービス性の向上を図ることが可能となるとともに改札効率の向上を図ることが可能となる。
【００５４】
（第４実施形態）  
この第４実施形態においては、改札機は、図８に示すように、対向する２台の筐体１Ａ及び１Ｂを備えており、これらの筐体の間に改札通路Ｒを規定している。これら筐体１Ａ及び１Ｂは、基本的に同一構成であり、一方が入場処理を行い、他方が出場処理を行う。すなわち、筐体１Ａは、改札通路Ｒの一端に設けられた投入口２Ａ、アンテナ部１１１Ａを有する無線通信装置１１２Ａなどを備えている。同様に、筐体１Ｂは、改札通路Ｒの他端に設けられた投入口２Ｂ、アンテナ部１１１Ｂを有する無線通信装置１１２Ｂなどを備えている。また、無線通信装置１００Ａは、改札通路Ｒの一端側において識別タグを検知可能に配置され、無線通信装置１００Ｂは、改札通路Ｒの他端側において識別タグを検知可能に配置されている。
【００５５】
このような構成において、図９に示すように、ＣＰＵ６０は、無線通信制御回路７８を制御して無線通信装置１００Ａ及び１００Ｂによる無線通信結果に基づき、識別タグを検知したか否かを判断する（ＳＴ４１）。そして、ＣＰＵ６０は、識別タグを検知しなかったと判断したのに基づいて（ＳＴ４１、Ｎ）、図５に示したように、改札機を構成する各機構の動作モードを第１モードに設定する（ＳＴ１２）。
【００５６】
一方、ＣＰＵ６０は、識別タグを検知したと判断したのに基づいて（ＳＴ４１、Ｙ）、改札機を構成する各機構の動作モードを第２モードに設定する。すなわち、ＣＰＵ６０は、通過検知回路７０を制御して人間検知器７からの出力信号に基づき、改札通路Ｒ内に先行する利用者が存在するか否かを判断する（ＳＴ４２）。
【００５７】
そして、ＣＰＵ６０は、改札機の筐体１Ａ及び１Ｂともに利用中ではないと判断したのに基づいて（ＳＴ４２、Ｎ）、一方の筐体に設けられた投入口からの券媒体の投入を禁止するとともに一方の筐体に設けられたアンテナ部での券媒体との無線通信を禁止する（ＳＴ４３）。
【００５８】
例えば、ＣＰＵ６０は、ステップＳＴ４２において、無線通信装置１００Ａにより識別タグを検知した場合、改札通路Ｒの一端側で特殊利用者が改札機の筐体１Ａを利用しようとしていると判断し、対向する筐体１Ｂによる改札機の利用を禁止する。すなわち、ＣＰＵ６０は、シャッタ制御回路７６を制御してシャッタ開閉機構７５を駆動し、投入口２Ｂを閉鎖する。これにより、投入口２Ｂからの券媒体の投入を禁止する。また、ＣＰＵ６０は、無線通信制御回路７４を制御して無線通信装置１１２Ｂの駆動を停止する。これにより、アンテナ部１１１Ｂを介した券媒体との無線通信を禁止する。
【００５９】
そして、ＣＰＵ６０は、特殊利用者が改札機を利用中である旨を報知する（ＳＴ４４）。すなわち、ＣＰＵ６０は、音声出力制御回路７３を制御してスピーカ８０を駆動し、「特殊利用者が改札機を利用します、ご注意ください。」、「特殊利用者が改札通路を通過中です、ご注意ください。」などの旨の音声などを出力する。また、ＣＰＵ６０は、表示制御回路７２を制御して表示部４を駆動し、表示部４に特殊利用者が改札機を利用中である旨のメッセージなどを表示する。
【００６０】
そして、ＣＰＵ６０は、読取回路６６を制御して読取ヘッド１４を駆動し、特殊利用者によって投入口２Ａから投入された券媒体から改札情報を読み取る（ＳＴ４５）。あるいは、ＣＰＵ６０は、無線通信制御回路７４を制御して無線通信装置１１２Ａを駆動し、特殊利用者によってアンテナ部１１１Ａにかざされた券媒体から改札情報を読み取る（ＳＴ４５）。
【００６１】
そして、ＣＰＵ６０は、券媒体から読み取った改札情報に基づいて改札処理を行う（ＳＴ４６）。そして、ＣＰＵ６０は、改札処理の結果を利用者に報知する（ＳＴ４７）。すなわち、ＣＰＵ６０は、音声出力制御回路７３を制御してスピーカ８０を駆動し、改札処理の結果に対応した音声、例えば判定ＯＫである旨の音声や、判定ＮＧである旨の音声などを出力する。また、ＣＰＵ６０は、表示制御回路７２を制御して表示部４及び表示灯８を駆動し、表示部４に判定ＯＫである旨のメッセージや判定ＮＧである旨のメッセージなどを表示するとともに、判定ＮＧの場合に表示灯８を点灯する。
【００６２】
そして、ＣＰＵ６０は、通過検知回路７０を制御して人間検知器７からの出力信号に基づき、特殊利用者が改札通路を通過したか否かを判断する（ＳＴ４８）。ＣＰＵ６０は、特殊利用者が改札通路を通過するまでの間（ＳＴ４８、Ｎ）、ステップＳＴ４７による改札処理結果報知動作を継続する。また、ＣＰＵ６０は、特殊利用者が改札通路を通過したと判断したのに基づいて（ＳＴ４８、Ｙ）、第２モードの設定を解除し、ステップＳＴ４１に復帰する。
【００６３】
このような第４実施形態に係る改札機によれば、特殊利用者による改札機の利用に際して、先行する利用者が存在しない場合、特殊利用者が利用しようとする筐体に対向する筐体の利用を禁止するように構成している。これにより、改札通路の一端側から通行しようとしている特殊利用者と、改札通路の他端側から通行しようとする他の利用者との改札通路内での衝突を防止することが可能となり、特殊利用者による改札通路の安全な通行を可能としている。したがって、特殊利用者に対する対応を改善することができ、サービス性の向上を図ることが可能となる。
【００６４】
一方で、ＣＰＵ６０は、ステップＳＴ４２において、改札機の筐体１Ａまたは１Ｂが利用中であると判断したのに基づいて（ＳＴ４２、Ｙ）、特殊利用者に対して改札機が先行する利用者によって利用中である旨を報知する（ＳＴ４９）。すなわち、ＣＰＵ６０は、音声出力制御回路７３を制御してスピーカ８０を駆動し、「現在改札機は利用中です、ご注意ください。」などの音声などを出力する。また、ＣＰＵ６０は、一方で、他の利用者に対して、音声出力制御回路７３を制御してスピーカ８０を駆動し、「特殊利用者が改札機を利用します。」などの旨の音声などを出力する。
【００６５】
そして、ＣＰＵ６０は、通過検知回路７０を制御して人間検知器７からの出力信号に基づき、先行する利用者が改札通路Ｒを通過したか否かを判断する（ＳＴ５０）。そして、ＣＰＵ６０は、先行する利用者が改札通路を通過するまでの間（ＳＴ５０、Ｎ）、ステップＳＴ４９による報知動作を継続する。また、ＣＰＵ６０は、先行する利用者が改札通路Ｒを通過したと判断したのに基づいて（ＳＴ５０、Ｙ）、上述したように、特殊利用者が利用しようとする筐体に対向する筐体の利用を禁止する（ＳＴ４３）。
【００６６】
このような第４実施形態に係る改札機によれば、特殊利用者による改札機の利用に際して、先行する利用者が存在する場合、特殊利用者に対して改札機が利用中である旨を案内して注意を促すとともに、先行する利用者が改札通路を通過した後に特殊利用者が利用する旨を他の利用者に案内するように構成している。そして、先行する利用者が改札通路を通過した後に、特殊利用者が利用しようとする筐体に対向する筐体の利用を禁止するように構成している。これにより、特殊利用者と他の利用者との改札通路内での衝突を防止することが可能となり、特殊利用者による改札通路の安全な通行を可能としている。したがって、特殊利用者に対する対応を改善することができ、サービス性の向上を図ることが可能となる。
【００６７】
（第５実施形態）  
図１０に示すように、ＣＰＵ６０は、無線通信制御回路７８を制御して無線通信装置１００による無線通信結果に基づき、識別タグを検知したか否かを判断する（ＳＴ５１）。そして、ＣＰＵ６０は、識別タグを検知しなかったと判断したのに基づいて（ＳＴ５１、Ｎ）、図５に示したように、改札機を構成する各機構の動作モードを第１モードに設定する（ＳＴ１２）。
【００６８】
一方、ＣＰＵ６０は、識別タグを検知したと判断したのに基づいて（ＳＴ５１、Ｙ）、改札機を構成する各機構の動作モードを第２モードに設定する。すなわち、ＣＰＵ６０は、通信制御部７７を制御して係員用の監視盤などの遠隔操作部９０に対して、特殊利用者が改札機を利用する旨の制御信号を出力する（ＳＴ５２）。遠隔操作部９０では、改札機から出力された制御信号を受信したのに基づいて、表示部に該当する改札機の機体番号や、特殊利用者が利用しようとしている旨のメッセージを表示する。
【００６９】
そして、ＣＰＵ６０は、読取回路６６を制御して読取ヘッド１４を駆動し、特殊利用者によって投入口２から投入された券媒体から改札情報を読み取る（ＳＴ５３）。あるいは、ＣＰＵ６０は、無線通信制御回路７４を制御して無線通信装置１１２を駆動し、特殊利用者によってアンテナ部１１１にかざされた券媒体から改札情報を読み取る（ＳＴ５３）。
【００７０】
そして、ＣＰＵ６０は、券媒体から読み取った改札情報に基づいて改札処理を行う（ＳＴ５４）。そして、ＣＰＵ６０は、改札処理の結果を利用者に報知する（ＳＴ５５）。すなわち、ＣＰＵ６０は、音声出力制御回路７３を制御してスピーカ８０を駆動し、判定ＯＫである旨の音声や、判定ＮＧである旨の音声などを出力する。また、ＣＰＵ６０は、表示制御回路７２を制御して表示部４及び表示灯８を駆動し、表示部４に判定ＯＫである旨のメッセージや判定ＮＧである旨のメッセージなどを表示するとともに、判定ＮＧの場合に表示灯８を点灯する。
【００７１】
そして、ＣＰＵ６０は、通過検知回路７０を制御して人間検知器７からの出力信号に基づき、特殊利用者が改札通路を通過したか否かを判断する（ＳＴ５６）。ＣＰＵ６０は、特殊利用者が改札通路を通過するまでの間（ＳＴ５６、Ｎ）、ステップＳＴ５５による改札処理結果報知動作を継続する。また、ＣＰＵ６０は、特殊利用者が改札通路を通過したと判断したのに基づいて（ＳＴ５６、Ｙ）、第２モードの設定を解除し、ステップＳＴ５１に復帰する。
【００７２】
このような第５実施形態に係る改札機によれば、特殊利用者による改札機の利用に際して、その旨を係員に対して報知するように構成している。これにより、人的な手助けが必要な特殊利用者に対して係員が迅速に対応することを可能としている。したがって、特殊利用者に対する対応を改善することができ、サービス性の向上を図ることが可能となる。
【００７３】
（第６実施形態）  
この第６実施形態においては、改札機は、図１１に示すように、改札通路の手前の位置（図中の矢印Ａの後方）において識別タグを検知可能に配置された無線通信装置１００Ａ、及び、改札通路を通過した位置（図中の矢印Ａの先方）において識別タグを検知可能に配置された無線通信装置１００Ｂを備えている。
【００７４】
図１２に示すように、ＣＰＵ６０は、無線通信制御回路７８を制御して無線通信装置１００Ａによる無線通信結果に基づき、識別タグを検知したか否かを判断する（ＳＴ６１）。そして、ＣＰＵ６０は、識別タグを検知しなかったと判断したのに基づいて（ＳＴ６１、Ｎ）、図５に示したように、改札機を構成する各機構の動作モードを第１モードに設定する（ＳＴ１２）。
【００７５】
一方、ＣＰＵ６０は、無線通信装置１００Ａにより識別タグを検知したと判断したのに基づいて（ＳＴ６１、Ｙ）、特殊利用者が改札機を利用しようとして接近したものと判断し、改札機を構成する各機構の動作モードを第２モードに設定する。すなわち、ＣＰＵ６０は、読取回路６６を制御して読取ヘッド１４を駆動し、特殊利用者によって投入口２から投入された券媒体から改札情報を読み取る（ＳＴ６２）。あるいは、ＣＰＵ６０は、無線通信制御回路７４を制御して無線通信装置１１２を駆動し、特殊利用者によってアンテナ部１１１にかざされた券媒体から改札情報を読み取る（ＳＴ６２）。
【００７６】
そして、ＣＰＵ６０は、券媒体から読み取った改札情報に基づいて改札処理を行う（ＳＴ６３）。そして、ＣＰＵ６０は、改札処理の結果を利用者に報知する（ＳＴ６４）。すなわち、ＣＰＵ６０は、音声出力制御回路７３を制御してスピーカ８０を駆動し、判定ＯＫである旨の音声や、判定ＮＧである旨の音声などを出力する。また、ＣＰＵ６０は、表示制御回路７２を制御して表示部４及び表示灯８を駆動し、表示部４に判定ＯＫである旨のメッセージや判定ＮＧである旨のメッセージなどを表示するとともに、判定ＮＧの場合に表示灯８を点灯する。
【００７７】
そして、ＣＰＵ６０は、無線通信制御回路７８を制御して無線通信装置１００Ｂによる無線通信結果に基づき、特殊利用者が改札通路を通過したか否かを判断する（ＳＴ６５）。ＣＰＵ６０は、特殊利用者が改札通路を通過するまでの間（ＳＴ６５、Ｎ）、ステップＳＴ６４による改札処理結果報知動作を継続する。また、ＣＰＵ６０は、特殊利用者が改札通路を通過したと判断したのに基づいて（ＳＴ６５、Ｙ）、第２モードの設定を解除し、ステップＳＴ６１に復帰する。
【００７８】
このような第６実施形態に係る改札機によれば、特殊利用者が所持する識別タグとの無線通信により特殊利用者による改札機の利用要求及び利用完了を検知するように構成している。これにより、光学的な人間検知器では十分に通過を判別できなかった特殊利用者について確実に検知することを可能としている。したがって、特殊利用者に対する対応を改善することができ、サービス性の向上を図ることが可能となる。
【００７９】
なお、この発明は、上記実施形態そのままに限定されるものではなく、その実施の段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００８０】
【図１】図１は、この発明の一実施の形態に係る改札機の外観を概略的に示す斜視図である。
【図２】図２は、図１に示した改札機の制御系の構成を概略的に示すブロック図である。
【図３】図３は、図１に示した改札機による改札処理対象としての無線式券媒体の構成を概略的に示す図である。
【図４】図４は、無線式券媒体と改札機との無線通信による信号のやりとりを説明するための図である。
【図５】図５は、第１実施形態に係る改札機の改札方法を説明するためのフローチャートである。
【図６】図６は、第２実施形態に係る改札機の改札方法を説明するためのフローチャートである。
【図７】図７は、第３実施形態に係る改札機の改札方法を説明するためのフローチャートである。
【図８】図８は、第４実施形態に係る改札機の構成を概略的に示す図である。
【図９】図９は、第４実施形態に係る改札機の改札方法を説明するためのフローチャートである。
【図１０】図１０は、第５実施形態に係る改札機の改札方法を説明するためのフローチャートである。
【図１１】図１１は、第６実施形態に係る改札機の構成を概略的に示す図である。
【図１２】図１２は、第６実施形態に係る改札機の改札方法を説明するためのフローチャートである。
【符号の説明】
【００８１】
１…改札機筐体、２…投入口、４…表示部、５…ドア機構、７…人間検知器、６０…ＣＰＵ、１００…無線通信装置、１１１…アンテナ部、１１２…無線通信装置
【図１】
2006107365.tif 000003
【図２】
2006107365.tif 000004
【図３】
2006107365.tif 000005
【図４】
2006107365.tif 000006
【図５】
2006107365.tif 000007
【図６】
2006107365.tif 000008
【図７】
2006107365.tif 000009
【図８】
2006107365.tif 000010
【図９】
2006107365.tif 000011
【図１０】
2006107365.tif 000012
【図１１】
2006107365.tif 000013
【図１２】
2006107365.tif 000014